(57)【特許請求の範囲】
【請求項１】
被写体を照明する照明光を伝達するためのライトガイドの入射端面付近に、光源ランプから放射された光線束を回転楕円面鏡で収束させるようにした内視鏡の照明装置において、
上記光源ランプの発光部の長手方向を上記ライトガイドの入射端面に向かう方向に対して横向きに配置すると共に、上記回転楕円面鏡として、上記光源ランプの発光部の異なる部分を各々第１焦点として上記ライトガイドの入射端面付近に各々第２焦点を有する二つの回転楕円面鏡を、半周ずつ並列に横に並べて配置したことを特徴とする内視鏡の照明装置。
【請求項２】
上記ライトガイドの入射端面が内視鏡の操作部に配置され、その操作部に取り付けられた照明光供給ユニットに上記光源ランプが配置されている請求項１記載の内視鏡の照明装置。
【発明の詳細な説明】
【０００１】
【産業上の利用分野】
この発明は、光源ランプから放射された光線束を回転楕円面鏡によってライトガイドの入射端面付近に収束させるようにした内視鏡の照明装置に関する。
【０００２】
【従来の技術】
一般に、内視鏡内には被写体を照明する照明光を伝達するためのライトガイドファイババンドルが配置されていて、光源ランプから放射された光線束をそのライトガイドファイババンドルの入射端面の中心付近に収束させて、照明光をライトガイドファイババンドルに入射させるようになっている。
【０００３】
そのように光源ランプから放射された光線束を収束させるために、各種の光学系が利用されているが、スペースに余裕のない構成の場合等には回転楕円面鏡が用いられ、その第１焦点に光源ランプの発光部を配置し、第２焦点にライトガイドファイババンドルの入射端面が配置される。
【０００４】
【発明が解決しようとする課題】
しかし、ライトガイドファイババンドルの入射端面の面積に比べて光源ランプの発光部の大きさが充分に小さくないと、収束光がライトガイドファイババンドルの入射端面からはみ出してロスし、被写体に照射される照明光が暗くなってしまう。
【０００５】
特に、ライトガイドファイババンドルの入射端部を内視鏡の操作部に配置して、その操作部に取り付けられた照明光供給ユニットに光源ランプを配置したいわゆる簡易型内視鏡等では、ライトガイドファイババンドルの径が細いのに対して、光源である電球のフィラメントが相当に大きくなるので、ライトガイドファイババンドルへの入射ロスが多くて、元々あまり明るくない照明光がさらに暗くなってしまう。
【０００６】
そこで本発明は、光源ランプから放射された光線束を、回転楕円面鏡によって高い効率でライトガイドに入射させることができる内視鏡の照明装置を提供することを目的とする。
【０００７】
【課題を解決するための手段】
上記の目的を達成するため、本発明の内視鏡の照明装置は被写体を照明する照明光を伝達するためのライトガイドの入射端面付近に、光源ランプから放射された光線束を回転楕円面鏡で収束させるようにした内視鏡の照明装置において、上記回転楕円面鏡を、上記光源ランプの発光部の異なる部分を各々第１焦点として上記ライトガイドの入射端面の中心付近に第２焦点を有する複数の回転楕円反射面を組み合わせて形成したことを特徴とする。
【０００８】
なお、上記ライトガイドの入射端面が内視鏡の操作部に配置され、その操作部に取り付けられた照明光供給ユニットに上記光源ランプが配置されていてもよい。
【０００９】
【実施例】
図面を参照して実施例を説明する。
図５は、内視鏡の操作部２部分の背面図であり、操作部２の下端部には、可撓管によって外装された挿入部１の基端が連結されている。
【００１０】
操作部２の下側約４分の３の部分は握り部２ａであり、その握り部２ａと挿入部１との間には、気密に構成された内視鏡の内部の圧力を調整するための圧力調整弁３が設けられている。
【００１１】
操作部２の握り部２ａより上方の操作機構部５には、挿入部１内に挿通された鉗子チャンネルを通して吸引操作を行うための吸引操作弁（図示せず）と、挿入部１の先端部分に形成された湾曲部（図示せず）を遠隔的に屈曲操作するための湾曲操作レバー７とが前面と後面に配置され、接眼部８が上面に突設されている。
【００１２】
被写体を照明する照明光を伝達するための照明用ライトガイドファイババンドル９は、入射端部が操作機構部５内に配置されていて、挿入部１内と操作部２の握り部２ａ内を通り、射出端部は、そこから射出される照明光によって被写体を照明できるように挿入部１の先端に配置されている。
【００１３】
そして、ライトガイドファイババンドル９に対して照明光を供給するための照明光供給ユニット３０が、操作機構部５の側面部分に着脱自在に取り付けられている。
【００１４】
照明光供給ユニット３０には、ライトガイドファイババンドル９に供給するための照明光を放射する光源ランプ３２と、その光源ランプ３２を点灯させるための電源である電池１００等が内蔵されている。電池１００としては、乾電池または充電可能なニッケルカドミウム電池等どのような電池を用いてもよい。
【００１５】
電池１００は、照明光供給ユニット３０の端部に着脱自在に取り付けられたキャップ部５０を外すことにより交換自在であり、電池１００に代えて交流／直流アダプタ等を接続することもできる。
【００１６】
図３及び図４は、光源ランプ３２から放射された光線束をライトガイドファイババンドル９に入射させる照明光線束入射部分を示しており、図３はその側面断面図、図４は正面図である。
【００１７】
光源ランプ３２としては、通電されることによって発光するフィラメント３３を有する豆電球が用いられており、フィラメント３３から放射された光線束をライトガイドファイババンドル９の入射端面９ａに収束させるために、光源ランプ３２を囲んで回転楕円面鏡３４が配置されている。
【００１８】
ただし、図４から判るように、この回転楕円面鏡３４は一つの回転楕円反射面によって形成されているのではなく、フィラメント３３の長手方向に対応して異なる二つの回転楕円反射面３４ａ，３４ｂを、半分ずつ（即ち１８０度ずつ）組み合わせて形成されている。
【００１９】
図１及び図２は、二つの回転楕円反射面３４ａ，３４ｂの中心軸線３５ａ，３５ｂを図３及び図４に書き加えたものであり、上半部の回転楕円反射面３４ａの第１焦点３３ａはフィラメント３３の上半部に位置し、下半部の回転楕円反射面３４ｂの第１焦点３３ｂはフィラメント３３の下半部に位置している。そして、両回転楕円反射面３４ａ，３４ｂの第２焦点は共にライトガイドファイババンドル９の入射端面９ａの中心に位置している。
【００２０】
したがって、フィラメント３３の上半部から放射された光線束は、そこを囲んで配置された上半部の回転楕円反射面３４ａで反射されてライトガイドファイババンドル９の入射端面９ａに収束し、フィラメント３３の下半部から放射された光線束は、そこを囲んで配置された下半部の回転楕円反射面３４ｂで反射されてライトガイドファイババンドル９の入射端面９ａに収束する。その結果、フィラメント３３から放射された光線束が、ロスなく高い効率でライトガイドファイババンドル９に入射されて、被写体を照明することができる。
【００２１】
なお、両回転楕円反射面３４ａ，３４ｂの第２焦点の位置は、必ずしもライトガイドファイババンドル９の入射端面９ａの中心に正確に位置させなければならないわけではなく、光学的諸条件等に合わせて、入射端面９ａの中心から少しずらしてもよい。
【００２２】
また、本発明は上記実施例に限定されるものではなく、例えば回転楕円面鏡３４は、光源ランプ３２の発光部の異なる部分を各々第１焦点とし、ライトガイドファイババンドル９の入射端面９ａの中心付近に第２焦点を有する三つ以上の回転楕円反射面を組み合わせて形成してもよい。
【００２３】
また、本発明は、簡易型内視鏡以外の内視鏡の照明装置にも適用することができる。
【００２４】
【発明の効果】
本発明によれば、光源ランプの発光部の異なる部分を各々第１焦点としてライトガイドの入射端面付近に第２焦点を有する複数の回転楕円反射面を組み合わせて回転楕円面鏡を形成したことにより、大きさのある発光部の各部から放射された光線束が各々ライトガイドの入射端面に収束するので、光源ランプから放射された光線束をロスなく高い効率でライトガイドに入射させることができる。
【００２５】
そして、ライトガイドの入射端部が内視鏡の操作部に配置されてその操作部に取り付けられた照明光供給ユニットに光源ランプが配置されている簡易型内視鏡に本発明を採用すれば、その効果は非常に大きい。
【図面の簡単な説明】
【図１】実施例の光源ランプからライトガイドへの照明光線束入射部分の側面断面図である。
【図２】実施例の光源ランプからライトガイドへの照明光線束入射部分の正面図である。
【図３】実施例の光源ランプからライトガイドへの照明光線束入射部分の側面断面図である。
【図４】実施例の光源ランプからライトガイドへの照明光線束入射部分の正面図である。
【図５】実施例の簡易型内視鏡装置の背面図である。
【符号の説明】
９  ライトガイドファイババンドル
９ａ  入射端面
３２  光源ランプ
３３  フィラメント
３４  回転楕円面鏡
３４ａ  上半部の回転楕円反射面
３４ｂ  下半部の回転楕円反射面
【図１】
0003586310.tif 000002
【図２】
0003586310.tif 000003
【図３】
0003586310.tif 000004
【図４】
0003586310.tif 000005
【図５】
0003586310.tif 000006